(57)【要約】【課題】本発明は、端子の配置を改良して他の電気部材を収納できるＵＳＢコネクタを提供することを目的とする。【解決手段】本発明の電気コネクタは、収納スペースが形成される絶縁性本体と、前記絶縁性本体に挿入される端子モジュールと、前記絶縁性本体の収納スペースに挿入される光部材と、を備える。前記端子モジュールは、第１接触部、第１連接部及び第１半田接続部を有する複数の第１導電端子と、第２接触部、第２連接部及び第２半田接続部を有する複数の第２導電端子と、を含む。前記複数の第１半田接続部が、第１連接部の折り曲げによって前後方向に沿う一列に配置される。前記複数の第２半田接続部が、第２連接部の折り曲げによって前後方向に沿う他列に配置される。前記一列の第１半田接続部及び前記他列の第２半田接続部は、前記絶縁性本体の収納スペースの両側に配置される。前記光部材が、前記一列の第１半田接続部と前記他列の第２半田接続部との間に挿入される。【選択図】図５
2011034961.tif 000002
【特許請求の範囲】
【請求項１】
収納スペースが形成される絶縁性本体と、
前記絶縁性本体に挿入され、第１接触部、第１連接部及び第１半田接続部を有する複数の第１導電端子と、第２接触部、第２連接部及び第２半田接続部を有する複数の第２導電端子と、を含む端子モジュールと、
前記絶縁性本体の前記収納スペースに挿入される光部材と、を備え、
複数の前記第１半田接続部が、前記第１連接部の折り曲げによって前後方向に沿う一列に配置され、複数の前記第２半田接続部が、前記第２連接部の折り曲げによって前後方向に沿う他列に配置され、一列の前記第１半田接続部と他列の前記第２半田接続部とは、前記絶縁性本体の前記収納スペースの両側に配置され、前記光部材が一列の前記第１半田接続部と他列の前記第２半田接続部との間に挿入されることを特徴とする電気コネクタ。
【請求項２】
複数の前記第１導電端子は、四つの該第１導電端子を含み、各該第１導電端子の前記第１連接部が、前後方向に沿って延在する第１延在部と、前記第１延在部から前記前後方向と直交する横方向に沿って折り曲げられる第１折曲部と、を含み、
複数の前記第２導電端子は、五つの該第２導電端子を含み、各該第２導電端子の前記第２連接部が、前後方向に沿って延在する第２延在部と、前記第２延在部から傾斜する第２折曲部と、を含むことを特徴とする請求項１に記載の電気コネクタ。
【請求項３】
四つの前記第１折曲部と五つの前記第２折曲部とは、互いに離間する方向に沿って延在し、平行する二つの平面に位置することを特徴とする請求項２に記載の電気コネクタ。
【請求項４】
前記絶縁性本体の前記収納スペースの両側には、一列の前記第１半田接続部及び他列の前記第２半田接続部をそれぞれ収納するための一対の固定溝が形成されることを特徴とする請求項１に記載の電気コネクタ。
【請求項５】
前記電気コネクタが前記収納スペースに挿入されるスペーサーを有し、前記収納スベースが前記スペーサーの挿入によって、収納穴と保持孔とに分割され、前記端子モジュールが前記第１及び第２導電端子が装着されるベースを有し、該ベースが前記収納スペースの前記収納穴に挿入され、前記光部材が、前記保持孔に保持されることを特徴とする請求項１に記載の電気コネクタ。
【請求項６】
前記ベースの両側には一対の導入リブが設けられ、前記収納穴の両側には前記導入リブが挿入される一対の導入溝が形成され、前記光部材には一対のリブが設けられ、前記保持孔には、前記光部材の前記リブが挿入される一対のガイド溝が形成されることを特徴とする請求項５に記載の電気コネクタ。
【請求項７】
前記第１導電端子の前記第１接触部が弾力性を具備し、前記第２導電端子の前記第２接触部が平板状に形成され、前記第２接触部が前記第１接触部の前方に配置され、前記第１導電端子がＵＳＢ２．０のプラグと接続し、前記第１導電端子及び前記第２導電端子がＵＳＢ３．０のプラグと電気接続することを特徴とする請求項１に記載の電気コネクタ。
【発明の詳細な説明】
【技術分野】
【０００１】
本発明は、電気コネクタに関し、特に、光部材を含むＵＳＢ(Universal Serial Bus)規格に準拠した電気コネクタに関するものである。
【背景技術】
【０００２】
従来技術の回路基板に半田接続されるＵＳＢコネクタは、絶縁性本体と、絶縁性本体に固着される複数の導電端子と、絶縁性本体を遮蔽するハウジングと、を備える。各導電端子は、接触部と、接触部から下方向に延在する折曲部と、回路基板に半田接続される半田接続部と、を有する。前記折曲部は横方向に沿う一列に配置される。
【先行技術文献】
【特許文献】
【０００３】
【特許文献１】米国特許第５７６９６６６号明細書
【発明の概要】
【発明が解決しようとする課題】
【０００４】
前記折曲部が大きいスペースを占めるため、光部材などのような他の電気部材を収納するスペースが得られない。
【０００５】
そこで本発明は、上述される従来技術の問題に鑑み、端子の配置を改良して他の電気部材を収納できるＵＳＢコネクタを提供することを目的とする。
【課題を解決するための手段】
【０００６】
前記目的を達成するために、本発明の電気コネクタは、収納スペースが形成される絶縁性本体と、前記絶縁性本体に挿入される端子モジュールと、前記絶縁性本体の収納スペースに挿入される光部材と、を備える。前記端子モジュールは、第１接触部、第１連接部及び第１半田接続部を有する複数の第１導電端子と、第２接触部、第２連接部及び第２半田接続部を有する複数の第２導電端子と、を含む。前記複数の第１半田接続部が、第１連接部の折り曲げによって前後方向に沿う一列に配置される。前記複数の第２半田接続部が、第２連接部の折り曲げによって前後方向に沿う他列に配置される。前記一列の第１半田接続部と前記他列の第２半田接続部とは、前記絶縁性本体の収納スペースの両側に配置される。前記光部材が前記一列の第１半田接続部と前記他列の第２半田接続部との間に挿入される。
【発明の効果】
【０００７】
従来技術と比べると、本発明は以下の長所を有する。本発明の第１導電端子の第１半田接続部と、第２導電端子の第２半田接続部と、は前後方向に沿う二列に配置され、前記収納スペースの両側に位置する。これにより、第１半田接続部と第２半田接続部との間には、光部材が挿入される充分なスペースが設けられる。
【図面の簡単な説明】
【０００８】
【図１】本発明の電気コネクタの組立斜視図である。
【図２】図１に示す電気コネクタと別の角度から見た組立斜視図である。
【図３】図１に示す電気コネクタの部分の分解斜視図である。
【図４】図１に示す電気コネクタの端子モジュールの斜視図である。
【図５】図１に示す電気コネクタの分解斜視図である。
【図６】図１に示す電気コネクタの別の角度から見た分解斜視図である。
【発明を実施するための形態】
【０００９】
図１〜図６を参照すると、本発明の電気コネクタ１００は、絶縁性本体１と、前記絶縁性本体１に装着されるベース３と、前記ベース３に実装される複数の導電端子と、絶縁性本体１を遮蔽するハウジング４と、絶縁性本体１に挿入される光部材５と、を備える。複数の導電端子は、四つの第１導電端子２１と、五つの第２導電端子２２と、を含む。四つの第１導電端子２１が、ＵＳＢ２．０Ａのプラグと電気接続できる。四つの第１導電端子２１及び五つの第２導電端子２２が、ＵＳＢ３．０Ａのプラグと電気接続できる。
【００１０】
絶縁性本体１は、基部１０と、前記基部１０から前方向に延在する舌板１１及び底板１２と、を備える。前記基部１０の頂面には、係合孔１１３２が形成される。基部１０の側面には、凸状部片１０４が設けられる。前記基部１０には、収納スペースが形成される。収納スペースには、収納穴１１３と、保持孔１０１と、前記収納穴１１３及び前記保持孔１０１の間に設けられるスペーサー１０２と、が設けられる。前記収納穴１１３の両側には、前後方向に沿う一対の挿入溝１１３１が形成される。前記収納スペースの両側には、一対の固定溝１０３が形成される。前記保持孔１０１の底面には一対のガイド溝１０１１が形成される。
【００１１】
前記舌板１１の上面には、一対の凹溝１１４が形成される。前記舌板１１の下面には、凹部１１５と、複数のリブ１１２と、複数のリブ１１２の間の複数の凹所１１１と、が形成される。
【００１２】
ベース３は、樹脂材料によって製造される。ベース３の下側面３２には、複数の第１端子溝３２１が形成される。ベース３の上側面３１には、複数の第２端子溝３２２が形成される。ベース３の両側には一対の導入リブ３３が設けられる。
【００１３】
図５〜図６に示すように、各第１導電端子２１は、弾力性を具備する第１接触部２１１と、第１半田接続部２１３と、第１接触部２１１及び第１半田接続部２１３の間に設けられる第１連接部２１２と、を有する。第１連接部２１２は、前後方向に沿って延在する第１延在部２１２１と、第１延在部２１２１の末端から右方向に折り曲げられる第１折曲部２１２２と、を有する。四つの第１導電端子２１の中の最も左側に位置する第１導電端子２１の第１折曲部２１２２の寸法が、他の第１折曲部２１２２の寸法より大きい。四つの第１導電端子２１の中の最も右側に位置する第１導電端子２１の第１折曲部２１２２の寸法が、他の第１折曲部２１２２の寸法より小さい。
【００１４】
各第２導電端子２２は、平板状の第２接触部２２１と、第２半田接続部２２３と、第２接触部２２１及び第２半田接続部２２３の間に設けられる第２連接部２２２と、を有する。第２連接部２２２は、前後方向に沿って延在する第２延在部２２２１と、第２延在部２２２１の末端から左方向に傾斜する第２折曲部２２２２と、を有する。四つの第２導電端子２２の中の最も右側に位置する第２導電端子２２の第２折曲部２２２２の寸法が、他の第２折曲部２２２２の寸法より大きい。四つの第２導電端子２２の中の最も左側に位置する第２導電端子２２の第２折曲部２２２２の寸法が、他の第２折曲部２２２２の寸法より小さい。四つの第１折曲部２１２２と五つの第２折曲部２２２２とは、互いに離間する方向に沿って延在し、平行する二つの平面に位置する。
【００１５】
ハウジング４は金属材料によって製造される。ハウジング４は、天板４１と、底板４３と、天板４１の側辺から下方向に折り曲げられる一対の側板４２と、側板４２から下方向に延在する一対の取付足４５と、を有する。ハウジング４には、複数の弾力ビーム４４が設けられる。ハウジング４の弾力ビーム４４は、絶縁性本体１の凹溝１１４と係合する。
【００１６】
光部材５は、主体部５１と、主体部５１から突出する一対のレンズ５２１と、一対の導入柱５２２と、を備える。主体部５１には、一対のビーム部５１２と、一対のリブ５１１と、が設けられる。
【００１７】
図１〜図６に示すように、電気コネクタ１００を取り付ける場合、四つの第１導電端子２１は、前記ベース３の第１端子溝３２１に挿入される。五つの第２導電端子２２は、ベース３の第２端子溝３１２に挿入される。第２接触部２２１が、第１接触部２１１の前に配置される。第１導電端子２１の四つの第１半田接続部２１３は、ベース３の右側において、前後方向に沿う一列に配置される。第２導電端子２２の五つの第２半田接続部２２３は、ベース３の左側において、前後方向に沿う一列に配置される。これにより、端子モジュールが形成される。
【００１８】
この端子モジュールは、一対の導入リブ３３が一対の導入溝１１３１に沿って導入されることによって、絶縁性本体１の収納穴１１３に装着されて前記凹部１１５に収納される。第２導電端子２２の第２接触部２２１は、前記凹所１１１に嵌められる。第１及び第２導電端子２１、２２の第１及び第２接触部２１１、２２１は、舌板１１の下面に露出される。第１導電端子２１の一列の第１半田接続部２１３は、一つの固定溝１０３に挿入されて下方向に延出する。第２導電端子２２の一列の第２半田接続部２２３は、他の固定溝１０３に挿入されて下方向に延出する。ベース３の係合部片３４が、絶縁性本体１の係合孔１１３２と係合する。最後に、ハウジング３が、絶縁性本体１を遮蔽する。
【００１９】
光部材５が絶縁性本体１の保持孔１０１に挿入される。光部材５の一対のリブ５１１は、絶縁性本体１の一対のガイド溝１０１１に挿入される。
【００２０】
第１導電端子２１の第１半田接続部２１３と、第２導電端子２２の第２半田接続部２２３と、は前後方向に沿う二列に配置され、前記収納スペースの両側に位置する。これにより、第１半田接続部２１３と第２半田接続部２２３との間には、光部材５が挿入される充分なスペースが設けられる。
【００２１】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００２２】
１００  電気コネクタ
１  絶縁性本体
１０  基部
１０１  保持孔
１０１１  ガイド溝
１０２  スペーサー
１０３  固定溝
１０４  凸状部片
１１  舌板
１１１  凹所
１１２  リブ
１１３  収納穴
１１３１  導入溝
１１３２  係合孔
１１４  凹溝
１１５  凹部
１２  底板
２１  第１導電端子
２１１  第１接触部
２１２  第１連接部
２１２１  第１延在部
２１２２  第１折曲部
２１３  第１半田接続部
２２  第２導電端子
２２１  第２接触部
２２２  第２連接部
２２２１  第２延在部
２２２２  第２折曲部
２２３  第２半田接続部
３  ベース
３１  上側面
３１２  第２端子溝
３２  下側面
３２１  第１端子溝
３３  導入リブ
３４  係合部片
４  ハウジング
４１  天板
４２  側板
４２１  係合孔
４３  底板
４４  弾力ビーム
４５  取付脚
５  光部材
５１  主体部
５１２  ビーム部
５２１  レンズ
５２２  導入柱  
【図１】
2011034961.tif 000003
【図２】
2011034961.tif 000004
【図３】
2011034961.tif 000005
【図４】
2011034961.tif 000006
【図５】
2011034961.tif 000007
【図６】
2011034961.tif 000008